(57)【要約】【課題】要求された動きに必要な剛性と、十分な快適性の両方を靴に与える靴用中敷きを提供する。【解決手段】甲皮（３０）と、底（５０）と、中敷き（４０;１４０）とを備えた靴であって、硬質材料からなる部材（１０;１１０）の上面に接合された、軟質材量からなる少なくとも１つの部材（２０;１２０）により形成される中敷き（４０）を用いることを特徴とする靴。【選択図】図２
2007506478.tif 000002
【特許請求の範囲】
【請求項１】
甲皮（３０）と、底（５０）と、中敷き（４０；１４０）とを備えた靴であって、
上記中敷き（４０；１４０）は、硬質材料からなる部材（１０；１１０）の上部に接合された、軟質材料からなる少なくとも１つの部材（２０；１２０）により構成されることを特徴とする靴。
【請求項２】
硬質材料からなる下部部材（１０；１１０）の上部に接合された、軟質材料からなる少なくとも１つの上部部材（２０；１２０）により構成されることを特徴とする靴用中敷き（４０；１４０）。
【請求項３】
上記両部材（１０，２０;１１０，１２０）が互いに一体的に接合されることにより靴の半製品を形成することを特徴とする請求項２に記載の靴用中敷き（４０;１４０）。
【請求項４】
踵の内側下方又は外側下方と、足の中間部分のほぼ下方との少なくともいずれか一方の領域、或いは足前部の外側下方領域に配置された硬質部を有することを特徴とする請求項２又は３に記載の靴用中敷き（４０）。
【請求項５】
踵の内側下方又は外側下方と、足の縦方向中心面のほぼ下方との少なくともいずれか一方の領域、或いは足前部の外側下方領域に配置された上記硬質部は、上記硬質部材（１０）の上面（１２）と一体的に設けられた起伏であることを特徴とする請求項４に記載の靴用中敷き（４０）。
【請求項６】
踵の内側における上記下部部材（１０）の表面（１２）の上記起伏は、ほぼ垂直であると共に、上記靴の縦方向中心面に対して傾斜して横方向に延設された突起（１４）の列（１３）であり、
踵の外側における上記起伏は、下部部材（１０）の輪郭に沿ってほぼ縦方向に形成された突起（１６）からなり、
上記縦方向中心面にほぼ沿った上記突起は、長円状の突起と、縦方向及び／又は横方向に配置された細長い少なくとも一続きのリブ（９，１９）とからなり、
足前部の外側における起伏は、好ましくは円錐台状（１５）に形成され、２つ以上の無関係な列をなして配設されることを特徴とする請求項５に記載の靴用中敷き（４０）。
【請求項７】
軟質材料からなる上記上部部材（１２０）は、硬質材料からなる下部部材（１１０）よりも少なく延設されることを特徴とする請求項２又は３に記載の靴用中敷き（１４０）。
【請求項８】
軟質材料からなる上記上部部材（１２０）は、被覆部（１２６）の内側に封入され、好ましくは上記被覆部と視覚的に相違するコア（１２４）を有することを特徴とする請求項７に記載の靴用中敷き（１４０）。
【請求項９】
上記コア（１２４）は不透明であって、上記靴の使用者に有益な情報を、例えば英数字及び／又は図形記号の形式で示す表面領域（１２８）を有する一方、上記被覆部（１２６）は透明又は半透明であることを特徴とする請求項８に記載の靴用中敷き（１４０）。
【請求項１０】
軟質材料からなる上記部材（２０;１２０）は、ゴムやポリウレタンのような発泡材料で作られていることを特徴とする請求項２乃至９のいずれかに記載の靴用中敷き（４０;１４０）。
【発明の詳細な説明】
【技術分野】
【０００１】
本発明は靴に関するものであり、限定するものではないが、特に中敷きを備えた運動靴に関する。
【背景技術】
【０００２】
スポーツをしたり、起伏のある土地に出かけたりする人には専用の特性を有した靴が要求されることが知られている。このような靴は、強固な構造をもつことによって打撃や変形から足を保護するだけではなく、快適に歩行したり走ったりすることが可能となるような構造、即ち足に作用する力を吸収する構造をも有していなければならない。また、より優れた快適性を確保すると共に疲労の発生を防止するため、靴の形がその靴を使用する人の足の形に適合できるように柔軟で変形可能な材料を用いることも同様に重要なことである。
【０００３】
剛性の問題については、イタリア国実用新案第００２３５３１０号に解決策を見出すことができる。その解決策は、靴の硬質中敷きの下面に一体的に多様な幾何学形状を有して縦方向に延設された複数のリブを設けることにより、ねじり方向と曲げ方向の剛性を増加させるようにしたものである。
もう１つの公知の解決策は、地面と接触する靴底の特別な形状に関するものである。この場合、底の上面には、並行又は円錐台状であって踵の内側部分又は足の裏の外側部分に数ミリメートルの高さの起伏を形成した縦部材が設けられている。この狙いは、移動の際に足をよりしっかりと支えることにより、回内（pronation；足の内側に体重が移動することにより生じる足の不適切な姿勢）の問題、及び回外（supination；足の外側への体重移動）の問題をそれぞれ軽減することである。
【発明の開示】
【発明が解決しようとする課題】
【０００４】
最初の解決策の欠点は、足が堅い表面上で支持され、使用者の快適性が欠如することである。このような問題を解決するため、通常は発泡した通気性のある材料からなる付加的な中敷きが靴の内側に挿入されてもよく、このような付加的な中敷きは接着され、或いは多くの場合、交換を可能とするために抜き取ることができるようになっている。しかしながら、この付加的な中敷きは、本当に効果的な力の減衰を確保するものではない上に、時と共に緩み、破れ、またしわが寄って足が靴に適切に保持されなくなるため、適度な快適性を確保するものではない。一方、２つ目に示した解決策については、補強部材と足の裏との間に、別の材料の層が設けられることによって効果が低減し、部材の効果を実質的に制限するものとなる。
【０００５】
本発明の目的は、要求された動きに必要な剛性と、十分な快適性の両方を靴に与える靴用中敷きを提供することにある。
【課題を解決するための手段】
【０００６】
本発明の上記目的は、互いに接合された複合中敷きであって、靴底に関して上述したものと同様の機能を有して上方に突出する起伏を備えた硬質材料からなる下部部材と、発泡材料からなり好ましくは上記下部部材上に射出されて足を支持するための表面を形成する上部部材との２つの部材からなる複合中敷きによって達成される。
【発明の効果】
【０００７】
このようにすることにより、上部部材の発泡材料が足に柔軟な支持を与え、次に中敷きの硬さを確保する下部部材が、足の裏に近い位置にあることから、起伏の機能的な効果を十分に活用するものとなり、回内（pronation）と回外（supination）の両方が効果的に防止される。
これらの効果及び更なる効果は、限定されない例として添付の図面を参照しながら示される中敷きの好適な実施形態についての以下の説明から、より一層明確になるであろう。
【発明を実施するための最良の形態】
【０００８】
図１は、甲皮３０と、接地面（tread）が設けられた底５０とに加え、全体が参照符号４０で示されて硬質下部部材１０と軟質上部部材２０とからなる複合中敷きを有した靴の断面を示している。硬質下部部材１０は、甲皮が底に固定されている周縁部を覆うようにして靴の底５０に適合するように意図された下面１７を有している。
硬質下部部材１０の上面１２は、特定の機能を有することによって相違する部分を有している。踵の領域には、ほぼ垂直で、靴の縦方向中心面に対し傾斜した横向きの突起１４の列１３が上記上面１２から突出している。本発明のこの実施形態において、靴の内側に向けて指向された突起１４の切断面８は、図３に示すように面取りされた表面を有している。横方向突起１４の機能は、靴の使用者の踵を強固に支持することにより、足の回内（pronation）を防止することにある。
【０００９】
また、踵の領域のうち突起１４の列１３の反対側には、更に突起１６が上記面１２から突出しており、この突起は硬質部材１０の輪郭に沿ってほぼ縦方向に形成されている。限られた高さの側壁を形成する縦方向突起１６の機能は以下の通りである。硬質部材１０の下面１２は更に、ほぼ縦方向に配列された複数のリブ１９、複数の横方向リブ９、及び複数の突起１５を備えている。本発明のこの実施形態において、突起１５は円錐台（frustoconical）形状を有し、２つ以上の無関係な列をなして足前部の外側縁部に沿って集中している。リブ９及び１９は、中足骨（metatarsus）の領域における補強と反ねじり機能に加え、突起１５と協働して足の裏の前方部分を支持することにより、足の回外（supination）を防止している。最後に、硬質部材１０の胴体部分は、中央部分において凸面状の中央拡大部１８を有し、土踏まずの領域をねじれ方向で補強する機能を有している。
【００１０】
複合中敷き４０の第２の部材は、ゴムやポリウレタンなどのような発泡材料からなり、解剖学的に快適となるような形状の上面２２を備えた軟質部材２０からなる。
ここで説明する本発明の好適な実施形態において、硬質部材１０と軟質部材２０とは、縦方向突起１６が中敷きの外側において有する保持効果もあって、一体となるように互いに恒久的に接合されている。上記接合の目的のため、専用の型への射出成形により硬質部材１０が最初に得られ、次いでその上面１２を覆うように軟質部材２０が射出される。
【００１１】
以上の説明により、複合中敷きが上述した目的を達成するものであって、公知の方法及び材料を用いて製作してもよいことは明らかである。こうして形成された半製品は、公知の技術を用いて靴の他の部品（甲皮及び底）に取り付けられる。
図４及び５に示された中敷きの変形例１４０は、軟質上部部材１２０が踵の端部１１７から、硬質下部部材１１０の土踏まず１１９のほぼ上部まで設けられている点で上述のものと相違しており、硬質部材１１０はこの変形例においても中敷きの先端部分まで延設されている。軟質部材１２０は、ほぼ不透明となるような添加物を含む合成材料からなる内部コア１２４によって形成されるのが好ましく、内部コア１２４は透明もしくは少なくとも半透明となるような添加物を含む合成材料からなる被覆部１２６内に封入される。
【００１２】
コア１２４の下面１２８は、靴を使用する人にとって有益となる情報、例えば靴の型式やサイズ、製造者の商標やロゴ、靴の使用方法やメンテナンス方法の説明などを英数字及び／又は図形記号の形式で示すために適宜使用されると便利である。
本発明は、請求項の保護の範囲内において、異なる形式で実現してもよいこと、及び運動靴以外の靴にも適用可能であることは言うまでもない。特に、材料の選択並びに軟質部材の長さの決定は、例えば靴の使用者がより強靱或いはより華奢な体格であるとか、想定される使用形態（山歩き、登山、散歩など）というような、靴の実際の使用に関係する様々な要素を考慮してなされるようにしてもよい。
【図面の簡単な説明】
【００１３】
【図１】本発明による中敷きを備えた靴の縦方向断面図である。
【図２】上述の両部材、即ち軟質上部部材と硬質下部部材とを備えた中敷きの縦方向断面図である。
【図３】図２の中敷きの一部を形成する硬質部材の平面図である。
【図４】中敷きの変形例の、図２と同様の縦方向断面図である。
【図５】図４のＶ−Ｖ線に沿った上記変形例の断面図である。
【符号の説明】
【００１４】
１０，１１０  硬質下部部材
２０，１２０  軟質上部部材
３０  甲皮
４０，１４０  複合中敷き
５０  底
１２４  コア
１２６  被覆部
【図１】
2007506478.tif 000003
【図２】
2007506478.tif 000004
【図３】
2007506478.tif 000005
【図４】
2007506478.tif 000006
【手続補正書】
【提出日】平成18年6月12日(2006.6.12)
【手続補正１】
【補正対象書類名】特許請求の範囲
【補正対象項目名】全文
【補正方法】変更
【補正の内容】
【特許請求の範囲】
【請求項１】
甲皮（３０）と、底（５０）と、上記甲皮（３０）内に不可分に内装された中敷き（４０；１４０）とを備えた靴であって、
上記中敷き（４０；１４０）は、硬質材料からなる部材（１０；１１０）の上部に接合された、軟質材料からなる１つの部材（２０；１２０）により構成されることを特徴とする靴。
【請求項２】
上記中敷き（４０）は、踵の内側下方又は外側下方と、足の中間部分のほぼ下方との少なくともいずれか一方の領域、或いは足前部の外側下方領域に配置された硬質部を有することを特徴とする請求項１に記載の靴。
【請求項３】
踵の内側下方又は外側下方と、足の縦方向中心面のほぼ下方との少なくともいずれか一方の領域、或いは足前部の外側下方領域に配置された上記硬質部は、上記硬質部材（１０）の上面（１２）と一体的に設けられた起伏であることを特徴とする請求項２に記載の靴。
【請求項４】
踵の内側における上記下部部材（１０）の表面（１２）の上記起伏は、ほぼ垂直であると共に、上記靴の縦方向中心面に対して傾斜して横方向に延設された突起（１４）の列（１３）であり、
踵の外側における上記起伏は、下部部材（１０）の輪郭に沿ってほぼ縦方向に形成された突起（１６）からなり、
上記縦方向中心面にほぼ沿った上記突起は、長円状の突起と、縦方向及び／又は横方向に配置された細長い少なくとも一続きのリブ（９，１９）とからなり、
足前部の外側における起伏は、好ましくは円錐台状（１５）に形成され、２つ以上の無関係な列をなして配設されることを特徴とする請求項３に記載の靴。
【請求項５】
上記中敷き（１４０）の、軟質材料からなる上記上部部材（１２０）は、硬質材料からなる下部部材（１１０）よりも少なく延設されることを特徴とする請求項１に記載の靴。
【請求項６】
上記中敷き（１４０）の、軟質材料からなる上記上部部材（１２０）は、被覆部（１２６）の内側に封入され、好ましくは上記被覆部と視覚的に相違するコア（１２４）を有することを特徴とする請求項５に記載の靴。
【請求項７】
上記コア（１２４）は不透明であって、上記靴の使用者に有益な情報を、例えば英数字及び／又は図形記号の形式で示す表面領域（１２８）を有する一方、上記被覆部（１２６）は透明又は半透明であることを特徴とする請求項６に記載の靴。
【請求項８】
上記中敷き（４０；１４０）の、軟質材料からなる上記部材（２０;１２０）は、ゴムやポリウレタンのような発泡材料で作られていることを特徴とする請求項１に記載の靴。
【手続補正２】
【補正対象書類名】明細書
【補正対象項目名】０００８
【補正方法】変更
【補正の内容】
【０００８】
図１は、甲皮３０と、接地面（tread）が設けられた底５０とに加え、全体が参照符号４０で示されて硬質下部部材１０と軟質上部部材２０とからなる複合中敷きを有した靴の断面を示している。中敷き４０は、靴の内皮（inner sheath）３５の下方に配置されているため、甲皮３０内に甲皮とは不可分に内装されている。換言すれば、靴は中敷き４０を組み入れるようにして製造される。硬質下部部材１０は、甲皮が底に固定されている周縁部を覆うようにして靴の底５０に適合するように意図された下面１７を有している。
硬質下部部材１０の上面１２は、特定の機能を有することによって相違する部分を有している。踵の領域には、ほぼ垂直で、靴の縦方向中心面に対し傾斜した横向きの突起１４の列１３が上記上面１２から突出している。本発明のこの実施形態において、靴の内側に向けて指向された突起１４の切断面８は、図３に示すように面取りされた表面を有している。横方向突起１４の機能は、靴の使用者の踵を強固に支持することにより、足の回内（pronation）を防止することにある。
【手続補正３】
【補正対象書類名】図面
【補正対象項目名】全図
【補正方法】変更
【補正の内容】
【図１】
2007506478.tif 000007
【図２】
2007506478.tif 000008
【図３】
2007506478.tif 000009
【図４】
2007506478.tif 000010
【図５】
2007506478.tif 000011
【国際調査報告】
2007506478.tif 000012
2007506478.tif 000013